(57)【要約】【課題】コイルスプリングからの磁界による影響を防止することにより、誤動作し難く低価格な給電装置を提供する。【解決手段】給電装置である給電器２は、筐体外部に一端２ａ，２ｂが露出した導電性部材からなるコイルスプリング１１ａ，１１ｂと、そのコイルスプリングと接続され、電源を供給する電源回路部や電子回路が設けられた電子部品１２が配置された基板１３を設けている。この電子部品１２は基板１３の端部近傍に設けている。また、コイルスプリングの伸縮方向と平行に設けられた基板１５に電子部品１４を配置している。コイルコイルスプリングから生じる磁界を示す磁力線１６は、電子部品１２及び電子部品１４に対して疎となる。【選択図】    図１
2004193885.tif 000002
【特許請求の範囲】
【請求項１】
筐体外部に一端が露出した導電性部材からなるコイルスプリングと、そのコイルスプリングの前記一端と異なる端と接続し、前記コイルスプリングに電源を供給する電源部とを有し、前記コイルスプリングから生じる磁界が疎となる位置に電子部品を配置したことを特徴とする給電装置。
【発明の詳細な説明】
【０００１】
【発明の属する技術分野】
本発明は、コイルスプリングを給電端子として外部の電子機器に電源を供給する給電装置に関する。
【０００２】
【従来の技術】
給電装置は、例えば図３に示すような携帯端末機１に電源を供給する給電器２が知られている。携帯端末機１が給電器２の凹部に挿入されると、携帯端末機１の給電端子１ａ、１ｂと給電器２の給電端子の一端２ａ、２ｂとが接触して携帯端末機１に電源が供給され、携帯端末機１の給電が行われる。この給電器２の給電端子は、携帯端末機１を凹部に受けたときにスプリング圧で押し付けるよう作用させて接触させるため、また、バネの安定性能及び耐久性が優れている導電性部材からなるコイルスプリングが使用される。
【０００３】
この給電器２の内部構造はその容積によりコイルスプリングが接続される給電回路部及び電子部品が配置された基板とＲＯＭ、ＲＡＭなどの電子部品がバスで配線されている基板とを異なる基板とした構造とする場合がある。この場合、一般的には、図４で示すように、コイルスプリング３ａ、３ｂが接続される電源回路部及び電子回路等の電子部品４が配置された基板５は携帯端末機１を受ける凹部の底部に、ＲＯＭ、ＲＡＭなどの電子部品６が配置された基板７はその基板と垂直になるように設けられる。
【０００４】
【発明が解決しようとする課題】
しかしながら、コイルスプリング３ａ、３ｂに静電気が生じ、あるいは携帯端末機１側による突入電流により電流が流れると、コイルスプリング３ａ、３ｂから図４中磁力線８で示すような磁界が生じる。特に、コイルスプリング３ａ，３ｂの中心に近く直行するような位置にあるＲＯＭ、ＲＡＭ等の電子部品６は磁力線が密の状態となり電磁誘導による影響を受けてしまう。この磁界の影響により、給電器２内部に配置された電子部品に誤作動が生じる場合がある。
【０００５】
本発明は上記事情に鑑みてなされたものであって、その目的は、コイルスプリングからの磁界による影響を防止することにより、誤動作し難く低価格な給電装置を提供することにある。
【０００６】
【課題を解決するための手段】
本発明は、筐体外部に一端が露出した導電性部材からなるコイルスプリングと、そのコイルスプリングの筐体外部に露出した端と異なる端と接続され、コイルスプリングに電源を供給する電源部とを有し、コイルスプリングから生じる磁界が疎となる位置に電子部品を配置したものである。
【０００７】
【発明の実施の形態】
以下、本発明の一実施の形態について図面を参照して説明する。なお、この実施の形態は、携帯端末機に電源を供給する給電器に本発明を適用した場合で説明する。
【０００８】
本実施の形態の携帯端末機１と給電器２とは図３の従来例で説明した場合と同様に、給電器２の凹部に携帯端末機１が挿入されると、携帯端末機１の底面１に設けられた給電端子１ａ、１ｂが、給電器２の導電性部材からなるコイルスプリングの筐体外部に露出した一端２ａ、２ｂと接触して携帯端末機１に給電器２から電源が供給される。
【０００９】
図１は、給電器２の内部構造を概略的に示す図である。給電器２の凹部の底部に先端部がそれぞれ２ａ、２ｂである２つのコイルスプリング１１ａ、１１ｂ、電源回路部及び電子回路等の電子部品１２が配置された基板１３が設けられている。コイルスプリング１１ａ、１１ｂは共に伸縮方向が基板１３の平面方向と直行し、それぞれ先端部２ａ、２ｂが筐体外部に露出し、その一端と異なる端が基板１３に例えば、半田付けで固着され電子部品１２の電源回路部と電気的に接続されている。また、電子部品１２は基板１３上において、２つのコイルスプリング１１ａ、１１ｂのより近傍に位置するコイルスプリングから所定距離の位置に配置されている。この電子部品１２は、基板１３上において近傍のコイルスプリングのコイルからできるだけ離れた位置、すなわち、基板１３の端部近傍に配置する。
【００１０】
また、基板１３と直行してＲＯＭ、ＲＡＭなどがバスラインで配線された電子部品１４が配置された基板１５が設けられている。したがって、電子部品１４は、コイルスプリング１１ａ、１１ｂの伸縮方向と平行方向に配線されるように配置される。
【００１１】
このように構成された給電器２の凹部に、携帯端末機１が挿入されると、携帯端末機１の給電端子１ａ、１ｂとコイルスプリング１１ａ、１１ｂの先端部２ａ、２ｂが接触して携帯端末機１に電源が供給される。
【００１２】
このとき、コイルスプリング１１ａ、１１ｂに電流が流れ磁界が発生する。この磁界による磁力線１６は、例えば、コイルスプリング１１ａによるものは図１で示すようになる。図示のように磁力線１６はコイルスプリングの伸縮方向に密となり、伸縮方向と平行方向に疎となる。したがって、磁力線１６は、コイルスプリング１１ａ、１１ｂの伸縮方向と平行に配置されたＲＯＭ、ＲＡＭなどの電子部品１４の基板１５の平面方向に対して密度は疎となる。また、磁力線１６は、コイルスプリングの中心から所定距離離れた位置に配置された電子部品１２の平面方向に対しても従来例と比較すると密度は疎となる。
【００１３】
この実施の形態によると、コイルスプリング１１ａ、１１ｂの伸縮方向をＲＯＭ、ＲＡＭなどの電子部品１４が配置された基板１５の平面と平行して配置することにより、静電気が生じ、あるいは携帯端末機１への突入電流によって生じる磁力線が電子部品１４に対して疎となるため、電子部品１４に与える磁界の影響を抑えることができ、誤動作し難い給電器を提供することができる。
【００１４】
また、基板１３の電子部品１２はより近傍に配置されたコイルスプリングから基板１３の範囲内でできるだけ離れた位置に配置しているため、磁力線が電子部品１２に対して従来例と比較して疎となるため、電子部品１２に与える磁界の影響を最小限に抑えることができる。
【００１５】
また、給電器２内のコイルスプリング１１ａ、１１ｂの伸縮方向を基板１３に対して直交方向に変更することにより対応可能であるため、価格を抑えて誤動作し難い給電器を提供することができる。
【００１６】
さらに、一般的にコイルスプリングの場合、巻き数が多くなると耐久性が増すが、逆に発生する磁力はおおきくなる。本実施の形態のコイルスプリングは、巻き数を多くして耐久性を増した場合も、給電器２内の電子部品に与える磁界の影響を最小限に抑えることができるので、コイルスプリングの耐久性を増しながら電子部品の誤動作を防止することができる。
【００１７】
次に、本発明の他の実施の形態について図２を参照して説明する。図２に示すように、コイルスプリングの伸縮方向及び配置は従来例と同様であるが、従来例とは電子部品の配置されている位置が異なっている。すなわち、給電装置や電子回路等の電子部品４及びＲＯＭ、ＲＡＭなどがバスラインで配線された電子部品６が同一の基板２１に配置されている。この電子部品４、６の配置位置は、それぞれより近傍のコイルスプリング３ａ、３ｂから基板２１内でコイルスプリングから生じる磁界の影響を受けにくい、基板２１の端部近傍に配置されている。このように、コイルスプリングから生じる磁界の影響を受けにくい基板２１の端部近傍に電子部品４、６を配置することにより上記実施の形態と同様な効果を奏することができる。
【００１８】
なお、コイルスプリングと電子部品が異なる基板で構成されている場合には、コイルスプリングからの磁界の影響を受けにくい位置に電子部品をその基板上で配置すれば良い。
【００１９】
また、前述した実施の形態は本発明を給電器に適用した場合について述べたが必ずしもこれに限定するものではなく、電源を供給する給電装置であれば適用できるものである。
【００２０】
【発明の効果】
以上説明したように本発明によれば、誤動作し難く低価格な給電装置を提供することができる。
【図面の簡単な説明】
【図１】本実施の形態における給電器の構造を概略的に示す図。
【図２】他の実施の形態における給電器の構造を概略的に示す図。
【図３】従来例における携帯端末機と給電器とを示す図。
【図４】従来例における給電器の構造を概略的に示す図。
【符号の説明】
１…携帯端末機
２…給電器（給電装置）
２ａ，２ｂ…コイルスプリングの先端部
３ａ，３ｂ，１１ａ，１１ｂ…コイルスプリング
４，１２…電子部品（電源部を含む）
６，１４…電子部品
５，７，１３，１５，２１…基板
８，１６…磁力線
【図１】
2004193885.tif 000003
【図２】
2004193885.tif 000004
【図３】
2004193885.tif 000005
【図４】
2004193885.tif 000006